【誤訳訂正書】
【提出日】平成26年1月30日(2014.1.30)
【誤訳訂正１】
【訂正対象書類名】特許請求の範囲
【訂正対象項目名】全文
【訂正方法】変更
【訂正の内容】
【特許請求の範囲】
【請求項１】
身体の内部の部位（１００）における主要な管腔（８０）の壁部（８１）内の開口部（８５）に至る、前記身体の高流量の主要な管腔（８０）間での連通の密閉を一時的に提供するための医療用の装置（１）であって、
前記医療用の装置（１）は、前記部位（１００）へのおよび前記部位（１００）からの経管的送達のために折り畳み可能であるとともに拡張可能であり、
前記装置は、
ａ）第１の膨張可能なバルーン（１０）と、
ｂ）少なくとも１つの折り畳み可能で拡張可能な支持構造（２０）との集合体を含み、
前記第１の膨張可能なバルーン（１０）は、その近位端部（１１）と遠位端部（１２）との間で実質的に伸張する長手寸法と、前記第１のバルーンが膨張した状態である際に、その間の半径方向の距離をおいた半径方向内側の内壁（１５）と半径方向外側の外壁（１６）とを有し、前記膨張した状態において、前記内壁（１５）における前記バルーン（１０）は自然に膨張した内径を有するとともに内部孔（１９）を囲み、前記内部孔は、前記主要な管腔（８０）に沿って、および、前記開口部（８５）を通り過ぎて、前記内部孔（１９）を通る長手方向の流体の流路を提供するためのものであり、前記第１のバルーンの前記外壁（１６）は、前記膨張した状態にある際、前記部位（１００）において前記主要な管腔（８０）の内壁（８１）に少なくとも部分的に並置され、
前記少なくとも１つの折り畳み可能で拡張可能な支持構造（２０）は、拡張した直径（２０ａ）を有し、前記第１のバルーン（１０）の前記近位端部から前記遠位端部まで配され、および、前記内壁（１５）で半径方向に配され、それによって、前記支持構造は、拡張状態にある際に、少なくとも前記膨張状態にある前記第１のバルーン（１０）の前記内部孔（１９）の開存性を支持するように構成され、
前記拡張した直径（２０ａ）は前記膨張した内径よりも大きく、前記半径方向の距離は前記膨張した内径よりも実質的に小さく、
前記装置（１）が、前記主要な管腔（８０）を通る前記流体の経路を実質的に開いたままにするように構成されるとともに、前記装置が前記部位（１００）で展開される際に前記開口部を通る連通を密閉するように遮断する様な方法において、前記支持構造（２０）は、前記拡張した直径（２０ａ）まで能動的に伸張可能であり、前記支持構造（２０）は、前記第１のバルーン（１０）が膨張したときに、前記拡張した直径（２０ａ）よりも小さい直径を有し、それによって前記支持構造が、前記バルーンが膨張したときに半径方向外側に方向付けられた力（１５１）を適合させることを特徴とする装置。
【請求項２】
前記内壁（１５）と外壁（１６）が互いに関して同軸に配され、前記内部孔（１９）が前記内壁内部で中心に配され、および、
前記支持構造（２０）は、前記孔の中心に対する前記第１のバルーン（１０）の内壁の境界に配された円筒体を一般的に含むチューブ状の支持構造であり、
前記支持構造（２０）は、前記第１のバルーンの前記内壁の境界での前記孔の中心において、前記第１のバルーン（１０）と同軸に位置付けられることを特徴とする請求項１に記載の医療用の装置。
【請求項３】
前記支持構造（２０）は自己拡張によって能動的に拡張可能であり、前記拡張した直径は、自然に弛緩して拡張した直径であり、
前記第１のバルーン（１０）が膨張する際、前記支持構造（２０）は、前記自然に弛緩して拡張した直径よりも小さな直径を有し、それによって、前記支持構造（２０）は、前記第１のバルーンが膨張する際に、半径方向外側に方向付けられた力に適合することを特徴とする請求項１または２に記載の医療用の装置。
【請求項４】
第２のバルーン（３０）を備え、
前記支持構造（２０）は第２のバルーン（３０）によって拡張可能なバルーンであり、前記第２のバルーンは、前記支持構造を前記拡張した直径まで拡張するのに適するとともに、前記第１のバルーンの前記内側の内部に少なくとも部分的に配され、
前記第２のバルーンは、前記支持構造（２０）の前記近位端部と遠位端部との間で少なくとも長手方向に伸張していることを特徴とする請求項１または２に記載の医療用の装置。
【請求項５】
第１の膨張管腔は前記第１のバルーンに結合され、第２の膨張管腔は前記第２のバルーン（３０）に結合され、
前記第１と第２の膨張管腔は、前記第１のバルーンと前記第２のバルーン（３０）の両方の同時膨張のために、互いに流体連通しており、または、
前記第１と第２の膨張管腔は、前記第１のバルーンと前記第２のバルーン（３０）の両方の個別の膨張のために、互いに流体連通していないことを特徴とする請求項４に記載の医療用の装置。
【請求項６】
前記第２のバルーン（３０）が長手寸法と孔の中心とを有することによって、前記第２のバルーン（３０）が膨張した状態にある際に、前記第２のバルーン（３０）の前記孔の中心を通る経路を提供することを特徴とする請求項４または５に記載の医療用の装置。
【請求項７】
前記支持構造（２０）は、前記内部孔の外壁表面上で、前記第１のバルーン（１０）の前記内壁と一体化することを特徴とする請求項１乃至６のいずれかに記載の医療用の装置。
【請求項８】
前記支持構造（２０）は近位の伸張部を含み、前記伸張部は、前記装置の長手方向の軸から外側におよび距離を置いて半径方向に配され、前記拡張した状態で前記第１のバルーン（１０）の前記近位端部を超えて長手方向に近位に伸張しており、
前記第１のバルーン（１０）の前記内部孔への流体ガイドが、前記支持構造（２０）の拡張後に提供されるように、前記近位の伸長部は、前記第１のバルーンの近位で前記主要な管腔（８０）の内部組織壁と組織に優しいように接触するための、覆い、または、流体密封層、またはコーティングを含むことを特徴とする請求項１乃至７のいずれかに記載の医療用の装置。
【請求項９】
前記第１のバルーン（１０）は部分的に膨張するように構成され、それによって、前記第１のバルーン（１０）の前記外壁が、前記外壁の第１の部分で前記主要な管腔（８０）の内壁への軟組織並置のために少なくとも部分的に構成されることによって、前記装置は前記主要な管腔（８０）にしっかりとかつ密封してはめ込むよう構成されることを特徴とする請求項１乃至８のいずれかに記載の医療用の装置。
【請求項１０】
前記内部孔の維持された経路の径に対する前記第１のバルーン（１０）の最大外径の比率は、４０％から９０％の範囲であり、前記比率は、８０％、８５％、または、９０％などの、７５％より大きく最大で９０％までであることを特徴とする請求項１乃至９のいずれかに記載の医療用の装置。
【請求項１１】
前記第１のバルーン（１０）の前記外壁と前記内壁は、異なる剛性の部分を有することを特徴とする請求項１乃至１０のいずれかに記載の医療用の装置。
【請求項１２】
前記異なる剛性は、前記外壁と前記内壁の前記部分の異なる壁の厚みによって提供され、
前記第１のバルーン（１０）の前記外壁は、前記外壁の第１の部分における壁の厚みよりも大きな壁の厚みを有する近位端部部分および遠位端部部分を有することを特徴とする請求項１１に記載の医療用の装置。
【請求項１３】
前記拡張した状態において前記支持構造を放出可能なように固定するためのロック機能を含むことを特徴とする請求項１乃至１２のいずれかに記載の医療用の装置。
【請求項１４】
前記装置は放射線不透過性マーカーを含み、および／または、前記バルーンは放射線不透性物質で膨張可能であり、または、前記バルーンは膨張する際、放射線不透性物質で満たされることを特徴とする請求項１乃至１３のいずれかに記載の医療用の装置。
【請求項１５】
一方向性の流れ方向ユニット（８００）が前記内部孔に配されることを特徴とする請求項１乃至１４のいずれかに記載の医療用の装置。
【請求項１６】
身体の内部の部位において前記身体の主要な管腔（８０）の開口部を一時的に閉鎖するための医療用のシステム（２）であって、
前記システムは、
請求項１乃至１５のいずれかに記載の少なくとも１つの集合体と、カテーテルシャフトおよびカテーテルシースを含むカテーテルとを含み、
前記医療用の装置の前記集合体は、その遠位端部部分で前記カテーテルシャフトに結合され、
前記集合体が前記カテーテルシースに位置付けられる際、前記カテーテルシースは、前記集合体の拡張を制限するように配され、
前記カテーテルシースが前記カテーテルシャフトから伸縮自在であることによって、前記一時的な閉鎖のために、前記部位における集合体の拡張が可能となり、
前記システムは、
送達後に前記支持構造の能動的な拡張を提供するよう配された拡張ユニットを含み、
前記カテーテルシャフトは、前記部位で前記主要な管腔（８０）内に前記カテーテルを位置付けるガイドワイヤの経路のためのガイドワイヤ管腔と、少なくとも前記第１のバルーン（１０）を膨張させるための少なくとも１つの膨張管腔とを含み、
前記システムは前記ガイドワイヤ内に配されたガイドワイヤをさらに含むことを特徴とするシステム。
【請求項１７】
請求項１乃至１６のいずれかに記載の少なくとも２つの集合体のキット（３）であって、
前記集合体は、互いから間隔をおいて配置され、前記医療用の装置の第１のバルーンの内部孔の間で流体の貫流を提供するのに適した流体漏出密封性の相互接続ユニット（５０）によって互いに相互接続されることを特徴とするキット。
【請求項１８】
前記相互接続ユニット（５０）は、チューブ状の相互接続ユニット（５０）であり、前記チューブ状の相互接続ユニットは、前記チューブ状の相互接続ユニットの近位端部と遠位端部の間に流体密封性のチューブ壁部（５１）を有し、
前記チューブ壁部の前記近位端部は、前記医療用の装置の近位の前記内部孔の遠位開口部に接続され、
前記チューブ壁部の前記遠位端部は、前記内部孔の間に流路を提供するために、前記医療用の装置の遠位の前記内部孔の近位開口部に接続され、
前記医療用の装置の前記近位は、前記主要な管腔（８０）に至る前記分枝管腔の小孔（８５）の近位に位置付け可能であり、
前記医療用の装置の前記遠位は、前記小孔の遠位に位置付けられるのに適しており、
前記チューブ壁部は、非弾性であるとともに柔軟性を有しており、前記主要な管腔（８０）、小孔、または、分枝管腔の組織に接触することなく、前記小孔に沿って、前記主要な管腔において、および、前記小孔から距離を置いて、配されるのに適していることを特徴とする請求項１７に記載のキット。
【誤訳訂正２】
【訂正対象書類名】明細書
【訂正対象項目名】００２４
【訂正方法】変更
【訂正の内容】
【００２４】
本発明の第１の態様によると、医療用の装置が提供される。医療用の装置は、身体の主要な管腔から、前記身体の内部の部位の主要な管腔の壁部内の開口部への流体の流れの閉塞を一時的に促進または提供するのに適した医療用の閉塞装置である。医療用の装置は、該部位へのおよび該部位からの経管的送達のために折り畳み可能および拡張可能であり、第１の膨張可能なバルーンと少なくとも１つの支持構造とを含む。第一の膨張可能なバルーンは、第１の膨張可能なバルーンの近位端部と遠位端部との間に十分に伸張する長手寸法を有する。第１の膨張可能なバルーンは半径方向内側の内壁と半径方向外側の外壁とをさらに有する。第１のバルーンが膨張した状態である場合、半径方向内側の内壁と半径方向外側の外壁は互いから半径方向に距離を置いて配される。第１のバルーンは、膨張した状態の場合、その内壁で内部孔を囲む。医療用の装置は、こうして、内部孔を通る長手方向の流体の流路を提供するように構成される。支持構造は、第１のバルーンの近位端部と遠位端部との間で少なくとも部分的に長手方向に配される、少なくとも折り畳み可能で拡張可能な支持構造であり、第１のバルーンの内壁に放射状に配される。支持構造は、拡張状態の場合、その膨張した状態で第１のバルーンの内部孔の開存性を支持するように構成される。第１のバルーンの外壁は、該部位で主要な管腔の内壁に少なくとも部分的に並置するように考案される。医療用の装置は、主要な開口部を通る流路を開いたままにするために考案され、開口部へのまたは開口部を通る流路は、該装置が該部位で展開される際に、実質的に密閉、遮断、切断、または、閉塞される。
【誤訳訂正３】
【訂正対象書類名】明細書
【訂正対象項目名】００３２
【訂正方法】変更
【訂正の内容】
【００３２】
さらに、本方法は、支持構造を半径方向に拡張する工程を含む。拡張工程は、第１のバルーンの内壁において、第１のバルーンの近位端部および遠位端部の間で、少なくとも部分的に医療用の装置の長手方向の伸張部で行なわれ、それによって、支持構造による内部孔の開存性を支持する。支持構造の拡張は能動的に行なわれる。能動的な拡張は、支持構造自体の内在的性質、または拡張ユニットに基づく。
【誤訳訂正４】
【訂正対象書類名】明細書
【訂正対象項目名】００３７
【訂正方法】変更
【訂正の内容】
【００３７】
支持構造とバルーンの集合体は、送達ユニットから分離されない。該集合体は、開口部の部位にあるカテーテルから放出される。集合体が送達ユニットから放出されないため、送達は患者の安全が著しく保たれたなかで行われ、展開と密閉の手順は十分に制御される。該集合体は適所に確実に保たれ、半径方向に外側に加えられる力によって洗い出されることはなく、このことは、それからは分離しない送達装置によってさらに改善される。
【誤訳訂正５】
【訂正対象書類名】明細書
【訂正対象項目名】００６６
【訂正方法】変更
【訂正の内容】
【００６６】
医療用の装置（１）は、第１の膨張可能なバルーン（１０）と支持構造（２０）との集合体を含む。第１の膨張可能なバルーン（１０）には、実質的にその近位端部分（１１）と遠位端部分（１２）の間で伸張する長手寸法がある。第１のバルーン（１）が図１に示されるように、膨張した状態である場合、第１のバルーン（１）は、その間の半径方向の距離をおいた半径方向内側の内壁（１５）と半径方向外側の外壁（１６）とを含む。折り畳まれた状態にある場合、または、バルーン（１０）が膨張していない場合、同様に、外壁（１６）は支持構造、さらに、内壁（１５）に近接してもよい。第１のバルーンが膨張した状態にある場合、内壁（１５）は、内部孔（１９）を通る長手方向の流体流路を提供するように構成された内部孔（１９）を囲むかまたは包囲する。例えば、図４の流れなどの矢例を参照のこと。第１のバルーン（１０）は、１以上の膨張管腔（１７）を介して膨張することができる。
【誤訳訂正６】
【訂正対象書類名】明細書
【訂正対象項目名】００７３
【訂正方法】変更
【訂正の内容】
【００７３】
他の実施形態において、例えば、図５に示されるように、全ての外壁または少なくともその半径方向の外側部分は、主要な管腔（８０）の内側の組織壁の表面に並置することができる。半径方向の外側部分は、バルーン（１０）の長手方向の伸張部において実質的に直線であってもよい。
【誤訳訂正７】
【訂正対象書類名】明細書
【訂正対象項目名】００７７
【訂正方法】変更
【訂正の内容】
【００７７】
支持構造（２０）は自己拡張可能である。このような実施形態において、支持構造は、例えば、カテーテルシース（４４）（図４）の手段によって、側枝部位または開口部に送達される間、拡張を制限される。集合体が、例えば、シース（４４）を引っ込めることによって、制限から解放されると、自己拡張可能な支持構造（２０）は、膨張する第１のバルーン（１０）とともに半径方向に膨張する。これによって、第１のバルーンが拡張し、集合体は例えば図１に示されるような開口部（５）に位置づけられる。
【誤訳訂正８】
【訂正対象書類名】明細書
【訂正対象項目名】００７８
【訂正方法】変更
【訂正の内容】
【００７８】
支持構造（２０）の自己拡張可能な、緩和した、または、自然な直径は、開口部（８５）の確実な密閉を達成するために必要な膨張圧力で膨張する際の、その緩和したまたは自然な直径のバルーンの内壁（１５）の直径よりも大きい。支持構造（２０）の自己拡張可能な、緩和した、または、自然な直径は、外壁（１６）の直径、または、管腔（８０）の自然な直径よりもさらに大きくてもよい。このように、外側に方向付けられた力（１５１）は、開口部（８５）の一時的な密閉の間、永久的に存在する。
【誤訳訂正９】
【訂正対象書類名】明細書
【訂正対象項目名】００８０
【訂正方法】変更
【訂正の内容】
【００８０】
支持構造（２０）は、接着剤、糸、固定要素などの適切な固定ユニットによって内壁（１５）にはりつけられてもよい。支持構造は第１のバルーン（１０）とは離れて提供されてもよく、放出された状態で半径方向に外側に方向付けられた拡張力によって、第１のバルーン（１０）内壁に放出可能なようにはりつけられてもよい。
【誤訳訂正１０】
【訂正対象書類名】明細書
【訂正対象項目名】００８５
【訂正方法】変更
【訂正の内容】
【００８５】
図３は、カテーテルシャフト（４５）から伸長する膨張管腔（１７）を示す、医療用の閉塞装置（１）の長手方向での断面図である。支持ウェブ（ｓｕｐｐｏｒｔ  ｗｅｂ）（１８）は、支持構造（２０）を、カテーテルシャフト（４５）、または、中央の送達ワイヤ、および／または、能動的な拡張ユニットに取り付けるために提供される。支持ウェブは、前部支持ウェブ（１８）として配されてもよい。支持ウェブ（１８）は、図１１ｂまたは図１２で示されるように、メッシュと一体化するなどして、バルーン（１０）を越えて長手方向に随意に伸長する支持構造（２０）と一体化することができる。加えて、さらなる支持ウェブは、内部孔（１９）の内部で、および、医療用の装置（１）の後端部で提供されてもよい。前部支持ウェブ（１８）は、医療用の装置（１）を折り畳むことと、側枝部位（１００）から、および、身体から医療用の装置を引きぬくために、該装置をシース（４４）に再挿入することを促進する。集合体が開口部（８５）で適所にある際、ウェブは、流体の流れが主要な管腔（８０）を通るためのフィルタ・ユニットを構成することができる。フィルタ・ユニットは凝血フィルタであってもよい。フィルタ濾過の程度は、支持構造（２０）の、編組の選択とピッチ、または、ウェブの半径方向のおよび／または長手方向の数によって決定される。
【誤訳訂正１１】
【訂正対象書類名】明細書
【訂正対象項目名】００９５
【訂正方法】変更
【訂正の内容】
【００９５】
支持構造（２０）は、拡張する際に、第１のバルーン（１０）の膨張後の内壁（１５）の膨張力に作用する反発と平衡状態にある場合の共通した半径方向の位置を意図する。
【誤訳訂正１２】
【訂正対象書類名】明細書
【訂正対象項目名】０１０３
【訂正方法】変更
【訂正の内容】
【０１０３】
実施形態において、拡張した支持構造（２０）は、膨張する際、内側に方向付けられた第１のバルーンの力に対して耐えるように構成される。したがって、第１のバルーンの外側の拡張は、該バルーンが開口部（８５）に引き込まれるのを防ぎながら、確実に行われる。
小型直径に対するある程度の半径方向の柔軟性によって平衡状態が生じる。図１０ａを参照のこと。
【誤訳訂正１３】
【訂正対象書類名】明細書
【訂正対象項目名】０１０９
【訂正方法】変更
【訂正の内容】
【０１０９】
チューブ状構造の代わりに、または、チューブ状構造に加えて、支持構造は、本明細書に開示のチューブ状構造に加えて、または、チューブ状構造の代わりに、複数の半径方向の支持ウェブ（１８）を含むことができる。ウェブ（１８）は、カテーテルシャフト（４５）または送達ワイヤから配される。ウェブ（１８）は、側枝部位（１００）で第１のバルーンを支持する、半径方向外側に方向付けられた力を提供するために、例えば、あらかじめ伸ばされる。
【誤訳訂正１４】
【訂正対象書類名】明細書
【訂正対象項目名】０１１５
【訂正方法】変更
【訂正の内容】
【０１１５】
支持構造（２０）の近位端部および／または遠位端部における伸長部（２１、２２）は、第１のバルーン（１０）の外壁の方へ外側に広がり、第１のバルーン（１０）の近位端部および／または遠位端部からそれぞれ離れるように方向付けられることができる。このように、流体ガイド（ｆｌｕｉｄ  ｇｕｉｄｅ）は、医療用の装置（１）を通る主要な管腔（８０）への流体の流れの混乱を有利に最小化するように提供される。さらに、密閉が改善される。
【誤訳訂正１５】
【訂正対象書類名】明細書
【訂正対象項目名】０１３０
【訂正方法】変更
【訂正の内容】
【０１３０】
第１の力は半径方向内側に作用し、バルーン（１０）の圧力をかけられた内壁（１５）によって引き起こされる。支持構造（２０）の拡張力によって引き起こされた別の力（１５１）は、この第１の力（１５０）に反作用する。支持構造は完全には拡張しない。
【誤訳訂正１６】
【訂正対象書類名】明細書
【訂正対象項目名】０１３２
【訂正方法】変更
【訂正の内容】
【０１３２】
支持構造が自己拡張可能ではない際には、この状態は様々な方法で提供することができる。例えば、ワイヤケージが能動的に拡張され、それ自身の通路を有する内部バルーンが管腔（８０）の内部で膨張し、ウェブが半径方向外側に内壁（１５）を弾性的に押し出すなどということもある。
【誤訳訂正１７】
【訂正対象書類名】明細書
【訂正対象項目名】０１３３
【訂正方法】変更
【訂正の内容】
【０１３３】
点線（２０ａ）は、反発力を伴わずに充分に拡張した際の構造（２０）の可能性のある位置を示す。支持構造（２０）の外側に配向した拡張力（１５１）は、内部に方向付けられた膨張力（１５０）よりも大きい。したがって、支持構造は壁（１５）に対して伸ばされ、壁には張り付けられず、互いに関連する２つの後者の相対的な移動を可能にし、これによって、展開、拡張、および、回収が力の減少によって容易になる。
【誤訳訂正１８】
【訂正対象書類名】明細書
【訂正対象項目名】０１３４
【訂正方法】変更
【訂正の内容】
【０１３４】
管腔壁（８１）は、力（１５３）によって、膨張したバルーン（１５）の外壁（１６）の半径方向外側に固着する力（１５２）を弾性的に押す。膨張したバルーン（１０）の固着力（１５２）は管腔力（１５２）よりも大きい。好ましくは、外側の膨張力（１５２）は、内側の組織力（１５３）よりもほんのわずかだけ大きい。ひとたび密閉が達成されると、管腔（８０）の自然な開口部に近接する大きな開口部があるという事実によって、主要な管腔中の流体の流れはほとんど影響を受けない。集合体を通る圧力の低下は最小のまま維持される。したがって、非常に低い膨張圧力でも開口部（８５）を確実に密閉するのに十分である。
【誤訳訂正１９】
【訂正対象書類名】明細書
【訂正対象項目名】０１５１
【訂正方法】変更
【訂正の内容】
【０１５１】
潜在的な最大の流量が多数の流路によって増加する一方で、開口部／脆弱化部分（８５）に関連する装置の半径方向の配向によって、その確実な密閉が提供される。加えて、流路の余剰が提供されると、主要なチャネルにおける流体の流れの閉塞のリスクは減少する。さらに、送達ユニットが中心に配されるとともに、ウェブまたは膨張管腔が半径方向に伸長する場合、追加の流路（８０ａ）は主要な管腔とは対照的に限定されない。
【誤訳訂正２０】
【訂正対象書類名】明細書
【訂正対象項目名】０１５３
【訂正方法】変更
【訂正の内容】
【０１５３】
実施形態において、相互接続ユニット（５０）は、チューブ状の相互接続ユニットの近位端部と遠位端部の間に流体密封性のチューブ壁部（５１）を有するチューブ状の相互接続ユニットである。チューブ壁部は膜材料で作られることができる。適切な材料は、ポリテトラフルオロエチレンＰＴＦＥ（ＧｏｒｅＴｅｘ（登録商標）として市販されている）を含む。代替的に、または、加えて、強化された移植片材料が提供される。このように、ユニット（５０）は、所望の最大径のチューブ形態を超えた半径方向外側への拡張に耐えるのに適している。この直径は、例えば、バルーン（１０）の外径、または、主要な身体管腔の自然な内径である。
【誤訳訂正２１】
【訂正対象書類名】明細書
【訂正対象項目名】０１６０
【訂正方法】変更
【訂正の内容】
【０１６０】
さらに、この方法は、第１のバルーンの内壁において、第１のバルーンの近位端部および遠位端部の間で、少なくとも部分的に長手方向に、支持構造を半径方向に拡張する工程（７６０）を含み、該工程は、支持構造によって内部孔の開存性を支持する。支持構造を拡張する工程（７６０）は、側部の内部孔と支持構造との内部に少なくとも部分的に配された第２のバルーンを膨張させる工程と、主要な管腔の直径よりも小さな直径まで支持構造を拡張する工程（７７０）とを含む。代替的に、または、加えて、該拡張工程（７６０）は、支持構造を自己拡張する工程を含む。代替的に、または、加えて、該拡張工程（７６０）は、カテーテルの近位端部からカテーテルベースのワイヤによって支持構造を制御可能に拡張する工程を含む。
【誤訳訂正２２】
【訂正対象書類名】明細書
【訂正対象項目名】０１６１
【訂正方法】変更
【訂正の内容】
【０１６１】
支持構造の拡張は、正常に膨張したバルーンの内径を越える後者の直径まで行われ、バルーンの内壁を半径方向外側に拡張する。
【誤訳訂正２３】
【訂正対象書類名】明細書
【訂正対象項目名】０１７７
【訂正方法】変更
【訂正の内容】
【０１７７】
バルーンと支持構造の集合体（４００）は、送達ワイヤを遠位に押すことにより細長く折り畳まれる。ワイヤは、送達のためにこの位置で固定されることができる。送達ワイヤを放出することによって、集合体は、支持構造の弾力性により、その自然の形状にまで拡張する。集合体のこの自然な弛緩された形状から、送達ワイヤは、カテーテルに対する相対運動でさらに後ろに引き戻され、こうして、管腔壁内の開口部位または脆弱化部位で半径方向に集合体を能動的にさらに拡張する。その後、上記のように、バルーンは膨張する。